(57)【要約】      （修正有）【課題】端末装置の通信の宛先となるモバイル・エッジ・コンピューティング（ＭＥＣ）サーバの切り替えを適切に制御する。【解決手段】無線通信システムは、端末装置２０と、基地局１０と、所定の条件に基づき基地局と対応付けられた第１の無線アクセスネットワークノード３０−１と、第２の無線アクセスネットワークノード３０−２と、を備える。基地局１０は、端末装置２０の通信の宛先が第２の無線アクセスネットワークノード３０−２であるときに端末装置２０の通信の宛先を第１の無線アクセスネットワークノード３０−１に切り替えることを判定し、第１の無線アクセスネットワークノード３０−１は、基地局１０の判定に基づき、端末装置２０の通信の宛先を第１の無線アクセスネットワークノード３０−１に切り替える。【選択図】図４
2018160813.tif 000002
【特許請求の範囲】
【請求項１】
端末装置と、
基地局と、
前記基地局を介して前記端末装置と通信を行い、所定の条件に基づき前記基地局と対応付けられた第１の無線アクセスネットワークノードと、
前記基地局を介して前記端末装置と通信を行う第２の無線アクセスネットワークノードと、を備え、
前記基地局は、
前記端末装置の通信の宛先が前記第２の無線アクセスネットワークノードであるときに前記端末装置の通信の宛先を前記第１の無線アクセスネットワークノードに切り替えることを判定し、
前記第１の無線アクセスネットワークノードは、
前記基地局の判定に基づき、前記端末装置の通信の宛先を前記第１の無線アクセスネットワークノードに切り替える
ことを特徴とする無線通信システム。
【請求項２】
前記基地局は、前記端末装置の通信の宛先が前記第２の無線アクセスネットワークノードであることを示す情報を取得することを特徴とする請求項１に記載の無線通信システム。
【請求項３】
前記第１の無線アクセスネットワークノードは、前記端末装置に通信の宛先の切り替えを指示することにより、前記端末装置の通信の宛先を前記第１の無線アクセスネットワークノードに切り替えることを特徴とする請求項１又は２に記載の無線通信システム。
【請求項４】
前記第１の無線アクセスネットワークノードは、前記基地局の決定に基づき前記第２の無線アクセスネットワークノードが前記端末装置に提供するサービス又はアプリケーションの状態を、前記第２の無線アクセスネットワークノードから前記第１の無線アクセスネットワークノードにリロケートし、前記基地局にルーティングテーブルの切り替えを指示することにより、前記端末装置の通信の宛先を前記第２の無線アクセスネットワークノードから前記第１の無線アクセスネットワークノードに切り替えることを特徴とする請求項１又は２に記載の無線通信システム。
【請求項５】
前記所定の条件は、前記第１の無線アクセスネットワークノードが前記第２の無線アクセスネットワークノードよりも前記基地局の近傍にあるという条件であることを特徴とする請求項１から４のいずれかに記載の無線通信システム。
【請求項６】
前記所定の条件は、前記第１の無線アクセスネットワークノードが、前記端末装置が前記第２の無線アクセスネットワークノードから提供されるサービス又はアプリケーションを提供できるという条件であることを特徴とする請求項１から５のいずれかに記載の無線通信システム。
【請求項７】
基地局に接続先を切り替えた端末装置の通信の宛先が第２の無線アクセスネットワークノードであるときに、前記端末装置の通信の宛先を、所定の条件に基づき前記基地局と対応付けられた第１の無線アクセスネットワークノードに切り替えることを決定し、
前記基地局の決定に基づき、前記端末装置の通信の宛先を前記第１の無線アクセスネットワークノードに切り替えることを特徴とする通信方法。
【請求項８】
前記端末装置の通信の宛先が前記第２の無線アクセスネットワークノードであるという情報を取得することを特徴とする請求項７に記載の通信方法。
【請求項９】
前記端末装置に通信の宛先の切り替えを指示することにより、前記端末装置の通信の宛先を前記第１の無線アクセスネットワークノードに切り替えることを特徴とする請求項７又は８に記載の通信方法。
【請求項１０】
端末装置と第１の無線アクセスネットワークノードと第２の無線アクセスネットワークノードと通信を行う基地局であって、
前記端末装置の通信の宛先が前記第２の無線アクセスネットワークノードであるときに、前記端末装置の通信の宛先を、所定の条件に基づき前記基地局と対応付けられた前記第１の無線アクセスネットワークノードに切り替えることを判定し、
前記端末装置の通信の宛先を前記第１の無線アクセスネットワークノードに切り替えることを、前記第１の無線アクセスネットワークノードに通知することを特徴とする基地局。
【発明の詳細な説明】
【技術分野】
【０００１】
本発明は、モバイル通信ネットワークに関し、特にモバイル・エッジ・コンピューティングのための装置及び方法に関する。
【背景技術】
【０００２】
Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ（ＥＴＳＩ）は、Ｍｏｂｉｌｅ  Ｅｄｇｅ  Ｃｏｍｐｕｔｉｎｇ（ＭＥＣ）の標準化を開始している（非特許文献１を参照）。ＭＥＣは、アプリケーション開発者（ａｐｐｌｉｃａｔｉｏｎ  ｄｅｖｅｌｏｐｅｒｓ）及びコンテンツプロバイダに対して、モバイル加入者（ｍｏｂｉｌｅ  ｓｕｂｓｃｒｉｂｅｒｓ）に近接した無線アクセスネットワーク（Ｒａｄｉｏ  Ａｃｃｅｓｓ  Ｎｅｔｗｏｒｋ(ＲＡＮ)）内でのクラウド・コンピューティング能力（ｃａｐａｂｉｌｉｔｉｅｓ）及びｉｎｆｏｒｍａｔｉｏｎ  Tｅｃｈｎｏｌｏｇｙ（ＩＴ）サービス環境を提供する。この環境は、超低遅延（ｕｌｔｒａ−ｌｏｗｌａｔｅｎｃｙ）及び高帯域幅（ｈｉｇｈ  ｂａｎｄｗｉｄｔｈ）に加えて、アプリケーション及びサービスによって活用される（ｌｅｖｅｒａｇｅｄ）ことができる無線ネットワーク情報（加入者位置、セル負荷など）への直接アクセスを提供する。
【０００３】
ＭＥＣサーバは、ＲＡＮノードと統合して配置される。具体的には、ＭＥＣサーバは、Ｌｏｎｇ  Ｔｅｒｍ  Ｅｖｏｌｕｔｉｏｎ（ＬＴＥ）基地局（ｅＮｏｄｅＢ）サイト、３Ｇ  Ｒａｄｉｏ  Ｎｅｔｗｏｒｋ  Ｃｏｎｔｒｏｌｌｅｒ（ＲＮＣ）サイト、又はｍｕｌｔｉ−ｔｅｃｈｎｏｌｏｇｙセル集約（ｃｅｌｌ  ａｇｇｒｅｇａｔｉｏｎ）サイトに配置されることができる。ｍｕｌｔｉ−ｔｅｃｈｎｏｌｏｇｙセル集約サイトは、多数の局所的なｍｕｌｔｉ−ｔｅｃｈｎｏｌｏｇｙアクセスポイントを制御するために、企業の屋内（ｉｎｄｏｏｒｓ  ｗｉｔｈｉｎ  ａｎ  ｅｎｔｅｒｐｒｉｓｅ）（ｅ.ｇ., 病院、大企業の本社）に置かれてもよいし、公共の建物又はアリーナ（ｅ.ｇ., ショッピングモール、スタジアム）の屋内／屋外に置かれてもよい。
【０００４】
ＭＥＣサーバは、コンピューティング・リソース、ストレージ容量（ｃａｐａｃｉｔｙ）、接続性（ｃｏｎｎｅｃｔｉｖｉｔｙ）、並びにユーザトラフィック及び無線ネットワーク情報へのアクセスを提供する。より具体的には、ＭＥＣサーバは、Ｉｎｆｒａｓｔｒｕｃｔｕｒｅ  ａｓ  ａＳｅｒｖｉｃｅ（ＩａａＳ）又はＰｌａｔｆｏｒｍａｓ  ａ  Ｓｅｒｖｉｃｅ（ＰａａＳ）機能（ｆａｃｉｌｉｔｙ）を提供することによって、アプリケーションのためのホスティング環境を提供する。
【０００５】
非特許文献１は、ＭＥＣのユースケースのいくつかの例を示している。あるユースケース（Ａｃｔｉｖｅ  Ｄｅｖｉｃｅ  Ｌｏｃａｔｉｏｎ  Ｔｒａｃｋｉｎｇ）では、ＭＥＣサーバ上にホストされている位置情報（ｇｅｏ−ｌｏｃａｔｉｏｎ）アプリケーションは、ｅＮｏｄｅＢ／ＲＮＣから受信した無線ネットワークの計測結果を用いて無線端末の位置をトラッキングし、無線端末の位置情報をセントラル・サーバに送信する。これにより、Ｇｌｏｂａｌ  Ｐｏｓｉｔｉｏｎｉｎｇ  Ｓｙｓｔｅｍ（ＧＰＳ）を用いずに、位置に基づくサービスを提供できる。
【０００６】
あるユースケース（Ｉｎｔｅｌｌｉｇｅｎｔ  Ｖｉｄｅｏ  Ａｎａｌｙｔｉｃｓ）では、ＭＥＣサーバ上にホストされているビデオ解析アプリケーションは、ライブ・ビデオ・ストリームを無線端末から受信し、トリガーイベント（ｅ.ｇ., 物体の移動、放置された（ａｂａｎｄｏｎｅｄ）荷物、行方不明の物体など）を検出するためにライブ・ビデオ・ストリームを解析し、データベース検索のために低帯域幅のビデオメタデータをセントラル・サーバに送信する。
【０００７】
あるユースケース（ＲＡＮ−ａｗａｒｅ  &  Ａｐｐｌｉｃａｔｉｏｎ−ａｗａｒｅ  Ｃｏｎｔｅｎｔ  Ｏｐｔｉｍｉｚａｔｉｏｎ）では、ＭＥＣサーバ上にホストされているアプリケーションは、セル又は無線端末の無線情報（ｅ.ｇ., セル負荷、リンク品質）をｅＮｏｄｅＢ／ＲＮＣから受信し、この情報をコンテンツ最適化のためにセントラル・サーバ（コンテンツ・オプティマイザ）に送信する。このような動的なコンテンツ最適化は、ビデオの失速（ｓｔａｌｌｉｎｇ）の低減、及び再生開始までの時間（ｔｉｍｅ−ｔｏ−ｓｔａｒｔ）の低減といったビデオ品質の改善を通じて、ビデオ配信を促進できる。
【０００８】
ここで、特許文献１には、端末装置とキャッシュサーバ（非特許文献１のＭＥＣサーバに相当）の間の伝送遅延を低減する発明が開示されている。この発明によれば、端末装置がハンドオーバにより接続する基地局を切り替えたときに端末装置の通信の宛先となるキャッシュサーバを切り替える構成が開示されている。
【先行技術文献】
【非特許文献】
【０００９】
【非特許文献１】“Mobile-edge Computing Introductory Technical White Paper”, the European Telecommunications Standards Institute, September 2014, [retrieved on 2015-06-24], Retrieved from the Internet: <URL:https://portal.etsi.org/Portals/0/TBpages/MEC/Docs/Mobile-edge_Computing_-_Introductory_Technical_White_Paper_V1%2018-09-14.pdf>
【特許文献】
【００１０】
【特許文献１】特開２０１６−１１１４１２号公報
【発明の概要】
【発明が解決しようとする課題】
【００１１】
特許文献１の技術では、端末装置の通信の宛先となるキャッシュサーバの切り替えは、端末装置が接続する基地局を切り替えたという情報に基づいて行われる。特許文献１の技術では、端末装置が接続する基地局を切り替えたときには、切り替え先となるキャッシュサーバがコンテンツを提供することができるかどうかにかかわらず、キャッシュサーバの切り替えが行われる。従って、切り替え先のキャッシュサーバがコンテンツを提供できない場合であっても、キャッシュサーバの切り替えが行われてしまうという課題があった。
【００１２】
本発明の目的は、上述した課題を解決することが可能な、無線通信システム、無線アクセスネットワークノード、及びこれらの方法を提供することにある。
【課題を解決するための手段】
【００１３】
本発明による無線通信システムは、端末装置と、基地局と、前記基地局を介して前記端末装置と通信を行い、所定の条件に基づき前記基地局と対応付けられた第１の無線アクセスネットワークノードと、前記基地局を介して前記端末装置と通信を行う第２の無線アクセスネットワークノードと、を備え、前記基地局は、前記端末装置の通信の宛先が前記第２の無線アクセスネットワークノードであるときに前記端末装置の通信の宛先を前記第１の無線アクセスネットワークノードに切り替えることを判定し、前記第１の無線アクセスネットワークノードは、前記基地局の判定に基づき、前記端末装置の通信の宛先を前記第１の無線アクセスネットワークノードに切り替えることを特徴とする。
【００１４】
本発明による通信方法は、基地局に接続先を切り替えた端末装置の通信の宛先が第２の無線アクセスネットワークノードであるときに、前記端末装置の通信の宛先を、所定の条件に基づき前記基地局と対応付けられた第１の無線アクセスネットワークノードに切り替えることを決定し、前記基地局の決定に基づき、前記端末装置の通信の宛先を前記第１の無線アクセスネットワークノードに切り替えることを特徴とする。
【００１５】
本発明による基地局は、端末装置と第１の無線アクセスネットワークノードと第２の無線アクセスネットワークノードと通信を行う基地局であって、前記端末装置の通信の宛先が前記第２の無線アクセスネットワークノードであるときに、前記端末装置の通信の宛先を、所定の条件に基づき前記基地局と対応付けられた前記第１の無線アクセスネットワークノードに切り替えることを判定し、前記端末装置の通信の宛先を前記第１の無線アクセスネットワークノードに切り替えることを、前記第１の無線アクセスネットワークノードに通知することを特徴とする。
【発明の効果】
【００１６】
本発明では、基地局と無線アクセスネットワークノードは所定の条件に基づき対応付けられている。端末装置の通信の宛先が、所定の条件に基づき対応付けられた無線アクセスネットワークノードでないときに、基地局は端末装置の通信の宛先を切り替えることを判定する。従って、本発明によれば、端末装置の通信の宛先となるＭＥＣサーバの切り替えを適切に制御することが可能となる。
【図面の簡単な説明】
【００１７】
【図１】無線通信システムの構成例を示す図である。
【図２】基地局の構成例を示す図である。
【図３】無線アクセスネットワークノードの構成例を示す図である。
【図４】無線通信システムの動作例を示すシーケンス図である。
【図５】無線通信システムの動作例を示すシーケンス図である。
【図６】無線アクセスネットワークノードの構成例を示す図である。
【図７】無線通信システムの動作例を示すシーケンス図である。
【図８】無線通信システムの動作例を示すシーケンス図である。
【図９】モバイル通信ネットワークの構成例を示す図である。
【図１０】基地局とＭＥＣサーバの接続関係の構成例を示す図である。
【図１１】基地局の構成例を示す図である。
【図１２】宛先取得部が取得する宛先情報の構成例を示す図である。
【図１３】記憶部が記憶する記憶情報の構成例を示す図である。
【図１４】ＭＥＣサーバの構成例を示す図である。
【図１５】無線通信システムの動作例を示すシーケンス図である。
【図１６】通信経路の構成例を示す図である。
【図１７】通信経路の構成例を示す図である。
【図１８】通信経路の構成例を示す図である。
【図１９】宛先取得部が取得する宛先情報の構成例を示す図である。
【図２０】記憶部が記憶する記憶情報の構成例を示すシーケンス図である。
【図２１】記憶部が記憶する記憶情報の構成例を示すシーケンス図である。
【図２２】判定部の動作例を示すフローチャートである。
【発明を実施するための形態】
【００１８】
次に、本発明の実施形態について図面を参照して詳細に説明する。
【００１９】
［第１の実施形態］
［構成］
図１は、本発明の第１の実施形態による無線通信システムの構成例を示している。図１によれば、無線通信システムは、基地局１０と、端末装置２０と、第１の無線アクセスネットワークノード３０−１と、第２の無線アクセスネットワークノード３０−２から構成される。第１の無線アクセスネットワークノード３０−１と第２の無線アクセスネットワークノード３０−２を区別しないときは、無線アクセスネットワークノード３０と示す。
【００２０】
端末装置２０は接続先を基地局１０に切り替えている。端末装置２０は基地局１０を介して通信経路１によって第２の無線アクセスネットワークノード３０−２と通信を行う。また通信の宛先を切り替えた後は、端末装置２０は基地局１０を介して通信経路２によって第１の無線アクセスネットワークノード３０−１と通信を行う。
【００２１】
基地局１０は、端末装置２０と第１の無線アクセスネットワークノード３０−１又は第２の無線アクセスネットワークノード３０−２との通信を中継する。また基地局１０は、無線アクセスネットワークノード３０のいずれかと所定の条件に基づいて対応付けられている。本実施形態では、基地局１０は第１の無線アクセスネットワークノード３０−１と所定の条件に基づいて対応付けられている。
【００２２】
図２は基地局１０の構成例を示している。図２によれば、基地局１０は宛先取得部１０１、記憶部１０２と判定部１０３を備える。
【００２３】
宛先取得部１０１は、端末装置２０の通信の宛先情報を取得する。宛先取得部１０１は、端末装置２０の通信の宛先情報を判定部１０３に通知する。
【００２４】
記憶部１０２は、基地局１０に所定の条件に基づいて対応付けられた無線アクセスネットワークノード３０に関する情報を記憶している。本実施形態においては、記憶部１０２には、第１の無線アクセスネットワークノード３０−１に関する情報が記憶されている。
【００２５】
判定部１０３は、端末装置２０の通信の宛先を切り替えるかを判定する。より詳細には、判定部１０３は、宛先取得部１０１から通知された端末装置２０の通信の宛先情報と、記憶部１０２に記憶された情報を参照する。参照の結果、判定部１０３は端末装置２０の通信の宛先を切り替えるかを判定する。判定部１０３は端末装置２０の通信の宛先を切り替えると判定したときに、判定の結果を第１の無線アクセスネットワークノード３０−１に通知する。
【００２６】
再び図１に戻って、無線アクセスネットワークノード３０は、基地局１０を介して端末装置２０と通信を行う。たとえば無線アクセスネットワークノード３０は、基地局１０を介して端末装置２０にサービス又はアプリケーションを提供する。
【００２７】
図３は無線アクセスネットワークノード３０の構成例を示している。図３によれば、無線アクセスネットワークノード３０は、端末装置制御部３０１を備える。
【００２８】
端末装置制御部３０１は、基地局１０から判定の結果の通知を受信する。端末装置制御部３０１は、判定の結果を参照して、端末装置２０に通信の宛先を切り替えることを指示する。
【００２９】
［動作］
以下、図４を用いて第１の実施形態の動作について説明する。
【００３０】
まず端末装置２０が接続先を基地局１０に切り替える（Ｓ１０１）。このとき端末装置２０は基地局１０を介して通信経路１によって第２の無線アクセスネットワークノード３０−２と通信を行う（Ｓ１０２）。
【００３１】
基地局１０が備える宛先取得部１０１は、端末装置２０の通信の宛先情報を取得する（Ｓ１０３）。
【００３２】
基地局１０が備える判定部１０３は、端末装置２０の通信の宛先情報と、記憶部１０２に記憶された情報を参照する。参照の結果、判定部１０３は端末装置２０の通信の宛先を切り替えるかを判定する（Ｓ１０４）。本動作例においては、判定部１０３は、端末装置２０の通信の宛先を第１の無線アクセスネットワークノード３０−１に切り替えると判定する。
【００３３】
基地局１０が備える判定部１０３は、判定した結果を、第１の無線アクセスネットワークノード３０−１に対して通知する（Ｓ１０５）。
【００３４】
第１の無線アクセスネットワークノード３０−１は基地局１０から通知された判定の結果を参照する。参照の結果、第１の無線アクセスネットワークノードは、通信の宛先を第１の無線アクセスネットワークノード３０−１に切り替えることを端末装置２０に指示する（Ｓ１０６）。
【００３５】
端末装置２０は第１の無線アクセスネットワークノード３０−１からの指示に基づき、通信の宛先を第２の無線アクセスネットワークノード３０−２から第１の無線アクセスネットワークノード３０−１に切り替える（Ｓ１０７）。
【００３６】
通信の宛先を切り替えた端末装置２０は、基地局１０を介して通信経路２により第１の無線アクセスネットワークノード３０−１と通信を行う（Ｓ１０８）。
【００３７】
［効果］
本発明によれば、端末装置の通信の宛先となる無線アクセスネットワークノードの切り替えは、端末装置の通信の宛先情報と、所定の条件に基づき基地局に対応付けられたＭＥＣサーバの情報に基づいて行われる。これにより、端末装置の通信の宛先となるＭＥＣサーバの切り替えを適切に制御することが可能となる。
【００３８】
［その他の構成例］
本発明の構成例、動作例は上述の形態に限られない。たとえば本発明の一構成例として、基地局１０は、判定の結果を第２の無線アクセスネットワークノード３０−２に通知するようにしてもよい。図５はこの場合の動作例を示すシーケンス図である。図４と同様の動作については同一の符号を付す。また詳細な説明は省略する。
【００３９】
図５によれば、基地局１０は判定の結果を第２の無線アクセスネットワークノード３０−２に通知する（Ｓ１１１）。第２の無線アクセスネットワークノード３０−２は、端末装置２０の現在の通信の宛先となっている無線アクセスネットワークノード３０である。
【００４０】
第２の無線アクセスネットワークノード３０−２は、基地局１０から通知された判定の結果を参照する。参照の結果、第２の無線アクセスネットワークノード３０−２は、通信の宛先を第１の無線アクセスネットワークノード３０−１に切り替えることを端末装置２０に指示する（Ｓ１１２）。
【００４１】
以上説明したとおり、基地局１０が判定の結果を第２の無線アクセスネットワークノード３０−２に通知する構成であっても、端末装置２０の通信の宛先を第１の無線アクセスネットワークノード３０−１に切り替えることができる。
【００４２】
また本発明の一構成例として、無線アクセスネットワークノード３０も、端末装置２０の通信の宛先を切り替えるかを判定する機能を有するようにしてもよい。図６は、この場合の無線アクセスネットワークノード３０の構成例を示している。図６によれば、無線アクセスネットワークノード３０は、端末装置制御部３０１に加えて、記憶部３１２と判定部３１３から構成される。
【００４３】
記憶部３１２は、判定部３１３が判定のために参照する情報が記憶されている。たとえば無線アクセスネットワークノード３０に切り替えを許可する端末装置２０の属性の情報が記憶される。
【００４４】
判定部３１３は、基地局１０から判定の結果を受信する。判定部３１３は、受信した判定の結果と記憶部３１２に記憶された情報を参照する。参照の結果、判定部３１３は、端末装置２０の通信の宛先を切り替えるかを判定する。判定部３１３は、判定の結果を端末装置制御部３０１に通知する。
【００４５】
端末装置制御部３０１は、判定部３１３から判定の結果の通知を受信する。端末装置制御部３０１は、判定部３１３の判定の結果を参照して、端末装置２０に通信の宛先を切り替えることを指示する。
【００４６】
図７は、この場合の動作例を示すシーケンス図である。図４と同様の動作例については同一の符号を付す。また詳細な説明は省略する。
【００４７】
第１の無線アクセスネットワークノード３０−１は、基地局１０から判定の結果を受信する。第１の無線アクセスネットワークノード３０−１の判定部３１３は、受信した判定の結果と記憶部３１２に記憶された情報を参照する。参照の結果、判定部３１３は、端末装置２０の通信の宛先を切り替えるかを判定する（Ｓ１２１）。本動作例においては、判定部３１３は端末装置の通信の宛先を切り替えると判定する。判定部３１３は、端末装置制御部３０１に判定の結果を通知する。
【００４８】
本構成例では、無線アクセスネットワークノード３０が切り替えの判定を行う。これにより、より詳細な条件に基づいて、端末装置２０の通信の宛先を切り替えることが可能となる。
【００４９】
また本構成例では、基地局が判定部１０３の機能を有さないようにしてもよい。このとき無線アクセスネットワークノード３０は基地局１０から端末装置２０の通信の宛先情報を受信するようにしてもよい。無線アクセスネットワークノード３０の判定部３１３は、基地局から受信した端末装置２０の通信の宛先情報と、記憶部３１２に記憶された情報を参照するようにしてもよい。
【００５０】
また本発明の一構成例として、無線アクセスネットワークノード３０が、基地局１０から判定の結果を受信することを契機として、無線アクセスネットワークノード３０の間でサービス又はアプリケーションの状態のリロケートが行われるようにしてもよい。図８は、その場合における動作例を示すシーケンス図である。図４と同様の動作例については同一の符号を付す。また詳細な説明は省略する。
【００５１】
第１の無線アクセスネットワークノード３０−１が基地局１０から判定の結果を受信したことを契機として、第１の無線アクセスネットワークノード３０−１と第２の無線アクセスネットワークノード３０−２の間で、サービス又はアプリケーションの状態のリロケートが行われる（Ｓ１３１）。
【００５２】
リロケートが完了したことを契機として、第１の無線アクセスネットワークノード３０−１は基地局１０にルーティングテーブルの更新指示を行う（Ｓ１３２）。
【００５３】
基地局１０は第１の無線アクセスネットワークノード３０−１からの指示を受けて、ルーティングテーブルの更新を行う（Ｓ１３３）。
【００５４】
本構成例では、基地局がルーティングテーブルを更新することで、端末装置の通信の宛先を切り替える。従って、端末装置はセッションを維持したまま、接続する無線アクセスネットワークノード３０を切り替えることができる。
【００５５】
［第２の実施形態］
［構成］
図９は、モバイル通信ネットワークの構成例を示している。図９の例では、モバイル通信ネットワークは、ＲＡＮ１０００（Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ））及びコアネットワーク２０００（Ｅｖｏｌｖｅｄ  Ｐａｃｋｅｔ  Ｃｏｒｅ（ＥＰＣ））を含む。ＲＡＮ１０００は、第１の基地局１０−１と第２の基地局１０−２を含む。以下、特に区別しない場合は基地局１０と示す。基地局１０はＲＡＮ１０００に配置される。また基地局１０は、ＲＡＮ１０００に接続する複数の端末装置２０と通信する。基地局１０は、端末装置２０のための無線リソース管理を提供するよう構成されている。無線リソース管理は、たとえば、各端末装置２０との無線接続の確立・修正・解放、各端末装置２０への無線リソースのスケジューリング、各端末装置の対する個別スケジューリング要求リソースの設定、及び各端末装置２０のハンドオーバの制御を含む。
【００５６】
なお、図９に示された基地局１０は、Ｃｅｎｔｒａｌｉｚｅｄ  Ｒａｄｉｏ  Ａｃｃｅｓｓ  Ｎｅｔｗｏｒｋ（Ｃ−ＲＡＮ）アーキテクチャで使用されるＢａｓｅｂａｎｄ  Ｕｎｉｔ（ＢＢＵ）であってもよい。言い換えると、図９に示された基地局１０は、１又は複数のＲｅｍｏｔｅ  Ｒａｄｉｏ  Ｈｅａｄ（ＲＲＨ）に接続されるＲＡＮノードであってもよい。いくつかの実装において、ＢＢＵとしての基地局１０は、ＥＰＣ２０００に接続される。また基地局１０は、無線リソース管理を含むコントロール・プレーン処理とユーザ・プレーンのデジタルベースバンド信号処理を担当する。一方、ＲＲＵは、アナログＲａｄｉｏ  Ｆｒｅｑｕｅｎｃｙ（ＲＦ）信号処理（ｅ.ｇ., 周波数変換および信号増幅）を担当する。なお、Ｃ−ＲＡＮは、Ｃｌｏｕｄ  ＲＡＮと呼ばれることもある。また、ＢＢＵは、Ｒａｄｉｏ  Ｅｑｕｉｐｍｅｎｔ  Ｃｏｎｔｒｏｌｌｅｒ（ＲＥＣ）又はＤａｔａ  Ｕｎｉｔ（ＤＵ）と呼ばれることもある。ＲＲＨは、Ｒａｄｉｏ  Ｅｑｕｉｐｍｅｎｔ（ＲＥ）、Ｒａｄｉｏ  Ｕｎｉｔ（ＲＵ）、又はＲｅｍｏｔｅ  Ｒａｄｉｏ  Ｕｎｉｔ（ＲＲＵ）と呼ばれることもある。
【００５７】
コアネットワーク２０００は、主にモバイル通信サービスを提供するオペレータによって管理されるネットワークである。コアネットワーク２０００は、複数のユーザープレーン・エンティティ（ｅ.ｇ., Ｓｅｒｖｉｎｇ  Ｇａｔｅｗａｙ（Ｓ−ＧＷ）及びＰａｃｋｅｔ  Ｄａｔａ  Ｎｅｔｗｏｒｋ  Ｇａｔｅｗａｙ（Ｐ−ＧＷ））、及び複数のコントロールプレーン・エンティティ（ｅ.ｇ., Ｍｏｂｉｌｉｔｙ  Ｍａｎａｇｅｍｅｎｔ  Ｅｎｔｉｔｙ（ＭＭＥ）及びＨｏｍｅ  Ｓｕｂｓｃｒｉｂｅｒ  Ｓｅｒｖｅｒ（ＨＳＳ）、Ｐｏｌｉｃｙ  ａｎｄ  Ｃｈａｒｇｉｎｇ  Ｒｕｌｅ  Ｆｕｎｃｔｉｏｎ（ＰＣＲＦ））を含む。複数のユーザープレーン・エンティティは、ＲＡＮ１０００と外部ネットワーク（Ｐａｃｋｅｔ  Ｄａｔａ  Ｎｅｔｗｏｒｋ(ＰＤＮ)）との間で端末装置２０のユーザデータを中継する。複数のコントロールプレーン・エンティティは、端末装置２０のモビリティ管理、セッション管理（ベアラ管理）、加入者情報管理、及び課金管理を含む様々な制御を行う。
【００５８】
端末装置２０は基地局間ハンドオーバを行うことで、接続する基地局１０を切り替えることができる。
【００５９】
第１のＭｏｂｉｌｅ  Ｅｄｇｅ  Ｃｏｍｐｕｔｉｎｇ（ＭＥＣ）サーバ３１−１及び第２のＭＥＣサーバ３１−２は、ＲＡＮ１０００内に配置される。以下特に区別しない場合、ＭＥＣサーバ３１と示す。ＭＥＣサーバ３１はＲＡＮ１０００内に配置される。これにより、ＭＥＣサーバ３１はコアネットワーク２０００を介さずに、基地局１０と直接的に通信できる。いくつかの実装において、ＭＥＣサーバ３１は、基地局１０と物理的に統合されてもよい。いくつかの実装において、ＭＥＣサーバ３１は、基地局１０と同じ建物（サイト）に配置され、基地局１０と通信できるように当該サイト内のＬｏｃａｌ  Ａｒｅａ  Ｎｅｔｗｏｒｋ（ＬＡＮ）に接続されてもよい。
【００６０】
ＭＥＣサーバ３１は、１又は複数の端末装置２０に向けたサービス又はアプリケーションに関するエッジ・コンピューティングのためにコンピューティング・リソース及びストレージ・リソース（ストレージ容量（ｃａｐａｃｉｔｙ））のうち少なくとも１つを提供するよう構成されている。いくつかの実装において、ＭＥＣサーバ３１は、ＩａａＳ又はＰａａＳ機能（ｆａｃｉｌｉｔｙ）を提供することによって、アプリケーションのためのホスティング環境を提供してもよい。
【００６１】
ＭＥＣサーバ３１は、さらに、ＥＰＣ２０００の一部の機能を有してもよい。例えば、ＭＥＣサーバ３１は、Ｓ−ＧＷまたはＳ−ＧＷ／Ｐ−ＧＷの機能を有し、ＭＥＣサーバ３１を利用する端末装置２０のユーザデータを直接第１のＭＥＣサーバ３１−１で終端してもよい。
【００６２】
背景技術で説明されたＭＥＣサーバのユースケースのいくつかの例と同様に、ＭＥＣサーバ３１は、アプリケーション又はサービスを提供するために１又は複数のセントラル・サーバ４０と通信してもよい。ＭＥＣサーバ３１とセントラル・サーバ４０の間の通信は、ＥＰＣ２０００を経由して行われてもよいし、ＥＰＣ２０００を経由しない通信回線又はネットワーク上で行われてもよい。
【００６３】
図１０は基地局１０とＭＥＣサーバ３１の接続関係の構成例を示している。第１の基地局１０−１は、第１のＭＥＣサーバ３１−１及び第２のＭＥＣサーバ３１−２と通信することが可能である。同様に第２の基地局１０−２は、第１のＭＥＣサーバ３１−１及び第２のＭＥＣサーバ３１−２と通信することが可能である。
【００６４】
また、基地局１０とＭＥＣサーバ３１は所定の条件に基づき対応付けられている。本実施形態では、第１の基地局１０−１と第１のＭＥＣサーバ３１−１が所定の条件に基づき対応付けられている。また第２の基地局１０−２と第２のＭＥＣサーバ３１−２が所定の条件に基づき対応付けられている。
【００６５】
図１０に示すように、ＭＥＣサーバ３１には識別子が割り振られていてもよい。後述するように、基地局１０はＭＥＣサーバ３１に割り振られた識別子を含む情報を保持するようにしてもよい。
【００６６】
図１１は第２の実施形態に係る基地局１０の構成例を示す。図６を参照すると、基地局１０はメモリ１００、プロセッサ１１０、ＲＦトランシーバ１２０、アンテナ１３０、ネットワークインターフェース１４０を含む。
【００６７】
ＲＦトランシーバ１２０は、端末装置２０と通信するためにアナログＲＦ信号処理を行う。ＲＦトランシーバ１２０は、複数のトランシーバを含んでもよい。ＲＦトランシーバ１２０は、アンテナ１３０及びプロセッサ１１０と結合される。ＲＦトランシーバ１２０は、変調シンボルデータ（又はＯＦＤＭシンボルデータ）をプロセッサ１１０から受信し、送信ＲＦ信号を生成し、送信ＲＦ信号をアンテナ１３０に供給する。また、ＲＦトランシーバ１２０は、アンテナ１３０によって受信された受信ＲＦ信号に基づいてベースバンド受信信号を生成し、これをプロセッサ１１０に供給する。なお、上述したように、基地局１０は、Ｃ−ＲＡＮアーキテクチャで使用されるＢＢＵ（ＲＥＣ）であってもよい。この場合、基地局１０は、ＲＦトランシーバ１２０を有していなくてもよい。
【００６８】
ネットワークインターフェース１４０は、ネットワークノード（ｅ.ｇ., ＭＭＥ及びＳ−ＧＷ）及びＭＥＣサーバ３１と通信するために使用される。ネットワークインターフェース１４０は、例えば、ＩＥＥＥ  ８０２．３  ｓｅｒｉｅｓに準拠したネットワークインタフェースカード（ＮＩＣ）を含んでもよい。
【００６９】
プロセッサ１１０は、無線通信のためのデジタルベースバンド信号処理（データプレーン処理）とコントロール・プレーン処理を行う。例えば、ＬＴＥおよびＬＴＥ−Ａｄｖａｎｃｅｄの場合、プロセッサ１１０によるデジタルベースバンド信号処理は、ＰＤＣＰレイヤ、ＲＬＣレイヤ、ＭＡＣレイヤ、およびＰＨＹレイヤの信号処理を含んでもよい。また、プロセッサ１１０によるコントロール・プレーン処理は、Ｓ１プロトコル、ＲＲＣプロトコル、及びＭＡＣ  ＣＥの処理を含んでもよい。
【００７０】
図１１の例では、宛先取得部１０１、記憶部１０２、判定部１０３、通知部１０４がメモリ１００に格納されている。
【００７１】
宛先取得部１０１は、基地局１０に接続する端末装置２０の通信の宛先情報を取得する。通信の宛先を取得する方法は、端末装置２０が行う通信を解析することにより取得してもよい。また端末装置２０が接続先を切り替える前に接続していた基地局１０から情報を受け取るようにしてもよい。
【００７２】
図１２は、第１の基地局１０−１の宛先取得部１０１が取得する宛先情報の例である。図１２によると宛先取得部１０１は、基地局１０に接続する端末装置２０の通信の宛先であるＭＥＣサーバ３１の情報を保持している。ＭＥＣサーバ３１を識別する情報としては、ＭＥＣサーバ３１に割り当てられた識別子を用いてもよいし、ＩＰアドレスを用いてもよい。また端末装置２０が複数ある場合には、端末装置２０毎に通信の宛先であるＭＥＣサーバ３１の情報を保持する。
【００７３】
宛先取得部１０１は、端末装置２０が基地局間ハンドオーバをしたときに宛先情報を取得するようにしてもよい。また宛先取得部１０１は、定期的に宛先情報を取得するようにしてもよい。宛先取得部１０１は、端末装置２０の宛先情報を判定部１０３に送信する。
【００７４】
再び図１１に戻って、記憶部１０２は、基地局１０に所定の条件に基づいて対応付けられたＭＥＣサーバ３１の情報を記憶する。
【００７５】
図１３は、第１の基地局１０−１の記憶部１０２が保持する情報の例を示している。本実施形態では、第１の基地局１０−１は第１のＭＥＣサーバ３１−１と所定の条件に基づき対応付けられている。従って第１の基地局１０−１の記憶部１０２には、第１のＭＥＣサーバ３１−１のＩＤとＩＰアドレスから構成される情報が記憶されている。
【００７６】
再び図１１に戻って、判定部１０３は、端末装置２０の通信の宛先を切り替えるかを判定する。より詳細には、判定部１０３は宛先取得部１０１から受信した端末装置２０の通信の宛先情報と、記憶部１０２に記憶されたＭＥＣサーバ３１の情報を参照する。参照の結果、判定部１０３は、端末装置２０の通信の宛先が、記憶部１０２に記憶されたＭＥＣサーバ３１と一致するかを判定する。一致しないとき、判定部１０３は、端末装置２０の通信の宛先を切り替えることを決定する。
【００７７】
判定部１０３は、宛先取得部１０１から宛先情報を受信したときに判定を行うようにしてもよい。また判定部１０３は、定期的に判定を行うようにしてもよい。
【００７８】
通知部１０４は判定部１０３の判定の結果をＭＥＣサーバ３１に通知する。通知部１０４は、判定部１０３が端末装置２０の通信の宛先が記憶部１０２に記憶されたＭＥＣサーバ３１と一致しないと判定したときに、通知を行うようにしてもよい。また通知部１０４は、判定部１０３が端末装置２０の通信の宛先が記憶部１０２に記憶されたＭＥＣサーバ３１と一致すると判定したときにも、通知を行うようにしてもよい。
【００７９】
プロセッサ１１０は、メモリ１００に記憶された宛先取得部１０１、記憶部１０２、判定部１０３、通知部１０４を読みだし実行する。
【００８０】
図１４は、ＭＥＣサーバ３１の構成例を示すブロック図である。図１４を参照すると、ＭＥＣサーバ３１は、メモリ（ストレージ）３００、プロセッサ３１０、ネットワークインターフェース３２０を含むハードウェア・コンポーネントを備える。
【００８１】
ネットワークインターフェース３２０は、基地局１０及びその他のネットワークノードと通信するために使用される。ネットワークインターフェース３２０は、例えば、ＩＥＥＥ  ８０２．３  ｓｅｒｉｅｓに準拠したネットワークインタフェースカード（ＮＩＣ）を含んでもよい。
【００８２】
メモリ３００は、揮発性メモリ及び不揮発性メモリの組み合わせによって構成される。メモリ３００は、物理的に独立した複数のメモリデバイスを含んでもよい。揮発性メモリは、例えば、Ｓｔａｔｉｃ  Ｒａｎｄｏｍ  Ａｃｃｅｓｓ  Ｍｅｍｏｒｙ（ＳＲＡＭ）若しくはＤｙｎａｍｉｃ  ＲＡＭ（ＤＲＡＭ）又はこれらの組み合わせである。不揮発性メモリは、マスクＲｅａｄ  Ｏｎｌｙ  Ｍｅｍｏｒｙ（ＭＲＯＭ）、Ｅｌｅｃｔｒｉｃａｌｌｙ  Ｅｒａｓａｂｌｅ  Ｐｒｏｇｒａｍｍａｂｌｅ  ＲＯＭ（ＥＥＰＲＯＭ）、フラッシュメモリ、若しくはハードディスクドライブ、又はこれらの任意の組合せである。メモリ３００は、プロセッサ３１０から離れて配置されたストレージを含んでもよい。この場合、プロセッサ３１０は、図示されていないＩ／Ｏインターフェースを介してメモリ３００にアクセスしてもよい。
【００８３】
図１４の例では、メモリ３００は、ＭＥＣのためのソフトウェアモジュール群３０３〜３０５と、端末装置制御部３０１と通知受信部３０２を格納するために使用される。仮想化管理（ｖｉｒｔｕａｌｉｚａｔｉｏｎ  ｍａｎａｇｅｍｅｎｔ）ソフトウェア３０３は、プロセッサ３１０において実行され、ネットワークインターフェース３２０、プロセッサ３１０、及びメモリ３００を含むハードウェア・コンポーネントを仮想化し、Ｉｎｆｒａｓｔｒｕｃｔｕｒｅ  ａｓ  ａ  Ｓｅｒｖｉｃｅ（ＩａａＳ）又はＰｌａｔｆｏｒｍ  ａｓ  ａ  Ｓｅｒｖｉｃｅ（ＰａａＳ）機能（ｆａｃｉｌｉｔｙ）を提供し、これによりアプリケーションのためのホスティング環境を提供する。
【００８４】
アプリケーション・プラットフォーム・サービス（ａｐｐｌｉｃａｔｉｏｎ  ｐｌａｔｆｏｒｍ  ｓｅｒｖｉｃｅｓ）ソフトウェア３０４は、プロセッサ３１０において実行され、通信サービス、無線ネットワーク情報サービス、トラフィックオフロード機能などのミドルウェア・サービスをアプリケーションに提供する。
【００８５】
１又は複数のアプリケーション３０５は、ＭＥＣサーバ３１上にホストされたアプリケーションである。１又は複数のアプリケーション３０５は、背景技術で説明された位置情報（ｇｅｏ−ｌｏｃａｔｉｏｎ）アプリケーション、ビデオ解析アプリケーション、及びコンテンツ最適化アプリケーション等であってもよい。
【００８６】
通知受信部３０２は、基地局１０から判定の結果を受信する。通知受信部３０２は受信した判定の結果を、端末装置制御部３０１に送信する。
【００８７】
端末装置制御部３０１は、判定の結果を参照して、通信の宛先の切り替えを行う端末装置２０を特定する。端末装置制御部３０１は、特定した端末装置２０に通信の宛先を切り替えることを指示する。
【００８８】
プロセッサ３１０は、メモリ３００に記憶された端末装置制御部３０１、通知受信部３０２を読みだし実行する。
【００８９】
［動作］
以下、図１５を用いて第２の実施形態の動作について説明する。図１５は端末装置２０が接続先を第２の基地局１０−２から第１の基地局１０−１に切り替えたときに、通信の接続先を第２のＭＥＣサーバ３１−２から第１のＭＥＣサーバ３１−１に切り替えるときの動作例を示している。
【００９０】
端末装置２０は接続先を切り替える前は、第２の基地局１０−２を介して第２のＭＥＣサーバ３１−２と通信を行う（Ｓ２０１）。図１６は、このときの通信経路３の例を示している。
【００９１】
再び図１５に戻って、端末装置２０は、基地局間ハンドオーバにより接続先を第１の基地局１０−１に切り替える（Ｓ２０２）。このとき端末装置２０は第１の基地局１０−１を介して第２のＭＥＣサーバ３１−２と通信を行う（Ｓ２０３）。図１７は、この場合の通信経路４の例を示している。
【００９２】
再び図１５に戻って、第１の基地局１０−１の宛先取得部１０１は、端末装置２０の通信の宛先情報を取得する（Ｓ２０４）。図１５に示す動作例によれば、第１の基地局１０−１の宛先取得部１０１は、端末装置２０の通信の宛先である第２のＭＥＣサーバ３１−２の情報を取得する。
【００９３】
第１の基地局１０−１の判定部１０３は、取得した宛先情報を参照と記憶部１０２が記憶するＭＥＣサーバの情報を参照する。参照の結果、判定部１０３は端末装置２０の通信の宛先を切り替えるか判定する（Ｓ２０５）。図１５に示す動作例では、端末装置２０の通信の宛先である第２のＭＥＣサーバ３１−２は、記憶部１０２が記憶する第１のＭＥＣサーバ３１−１と一致しない。従って、判定部１０３は端末装置の通信の宛先を第１のＭＥＣサーバ３１−１に切り替えることを決定する。
【００９４】
第１の基地局１０−１は判定部１０３の判定の結果を、第１のＭＥＣサーバ３１−１に通知する（Ｓ２０６）。
【００９５】
第１のＭＥＣサーバ３１−１の端末装置制御部３０１は、受信した判定の結果をもとに、通信の宛先の切り替えを行う端末装置２０を特定する（Ｓ２０７）。端末装置制御部３０１は、特定した端末装置２０に通信の宛先を第１のＭＥＣサーバ３１−１に切り替えることを指示する（Ｓ２０８）。
【００９６】
端末装置２０は第１のＭＥＣサーバ３１−１からの指示に基づき、通信の宛先を第２のＭＥＣサーバ３１−２から第１のＭＥＣサーバ３１−１へ切り替える（Ｓ２０９）。
【００９７】
通信の宛先を切り替えた端末装置２０は、第１の基地局１０−１を介して第１のＭＥＣサーバ３１−１と通信を行う（Ｓ２１０）。図１８は、この場合の通信経路５の例を示している。
【００９８】
［効果］
以上説明したとおり、第２の実施形態によれば、本発明によれば、端末装置の通信の宛先となるＭＥＣサーバの切り替えは、端末装置の通信の宛先情報と、所定の条件に基づき基地局に対応付けられたＭＥＣサーバの情報に基づいて行われる。これにより、端末装置の通信の宛先となるＭＥＣサーバの切り替えを適切に制御することが可能となる。
【００９９】
［その他の構成例］
本発明の構成例、動作例は上述の形態に限られない。たとえば本発明の一構成例として、第１の基地局１０−１と第１のＭＥＣサーバ３１−１は、第１のＭＥＣサーバ３１−１が第１の基地局１０−１の近傍にあることを条件として対応付けられてもよい。近傍にあるとは、たとえば第１のＭＥＣサーバ３１−１が第１の基地局１０−１と同じ建物や、同一のサイト、同一のネットワークドメイン等に配置されていることをいう。この場合、図１７及び図１８を参照すると、通信の宛先を第１のＭＥＣサーバ３１−１に切り替えた通信経路５は、通信の宛先を切り替える前の通信経路４よりも経路長が短いものとなる。従って、端末装置２０の通信の宛先が第２のＭＥＣサーバ３１−２から第１のＭＥＣサーバ３１−１に切り替えられることで、伝送遅延の低減を実現することができる。
【０１００】
また本発明の一構成例として、第１の基地局１０−１と第１のＭＥＣサーバ３１−１は、第１の基地局１０−１と第１のＭＥＣサーバ３１−１を接続する回線の帯域幅が、第１の基地局１０−１と第２のＭＥＣサーバ３１−２を接続する回線の帯域幅よりも広いことを条件として対応付けられてもよい。この場合、端末装置２０の通信の宛先が第２のＭＥＣサーバ３１−２から第１のＭＥＣサーバ３１−１に切り替えられることで、伝送遅延の低減を実現することができる。
【０１０１】
また本発明の一構成例として、第１の基地局１０−１と第１のＭＥＣサーバ３１−１が対応付けられる所定の条件として、複数の条件を用いてもよい。
【０１０２】
また本発明の一構成例として、第１の基地局１０−１には複数のＭＥＣサーバ３１が対応付けられるようにしてもよい。図１９には、記憶部１０２が複数のＭＥＣサーバ３１の情報と、それぞれのＭＥＣサーバ３１に対応付けられた端末装置２０の情報を記憶している構成が示されている。このとき判定部１０３は記憶部１０２を参照することで、端末装置２０ごとに記憶部１０２に記憶されたＭＥＣサーバ３１と通信を行っているかを判定することができる。
【０１０３】
また本発明の一構成例として、基地局１０は端末装置２０が行う通信の宛先だけでなく、端末装置２０がＭＥＣサーバ３１から提供されるサービス又はアプリケーションの内容に基づいて判定を行うようにしてもよい。図２０には、宛先取得部１０１が取得する情報の構成例が示されている。図２０によると宛先取得部１０１は、基地局１０に接続する端末装置２０の通信の宛先であるＭＥＣサーバ３１の情報と、端末装置２０がＭＥＣサーバ３１から提供されるサービス又はアプリケーションの情報を保持している。また図２１には、記憶部１０２が保持する記憶情報の例が示されている。図２１によれば、記憶部１０２はＭＥＣサーバ３１の情報と、それぞれのＭＥＣサーバ３１が提供するサービス又はアプリケーションの情報を記憶している構成が示されている。
【０１０４】
図２２には判定部１０３が、端末装置２０の通信の宛先情報とＭＥＣサーバ３１から提供されるサービス又はアプリケーションの情報に基づいて判定を行い、結果をＭＥＣサーバ３１に通知するまでのフローチャートを示している。
【０１０５】
宛先取得部１０１は、端末装置２０の通信の宛先情報とＭＥＣサーバ３１から提供されるサービス又はアプリケーションの情報を取得する（Ｓ３０１）。
【０１０６】
判定部１０３は、宛先情報と記憶部１０２の情報を参照して、端末装置２０の通信の宛先が記憶部１０２に記憶されたＭＥＣサーバ３１と一致するかを判定する（Ｓ３０２）。
【０１０７】
通信の宛先が記憶部に記憶されたＭＥＣサーバ３１と一致しないと判定されたとき、判定部はさらに、記憶部１０２が記憶するＭＥＣサーバ３１に、端末装置２０がＭＥＣサーバ３１から提供されるサービス又はアプリケーションが存在するかを判定する（Ｓ３０３）。
【０１０８】
記憶部１０２が記憶するＭＥＣサーバ３１に端末装置２０が提供されるサービス又はアプリケーションがあると判定されたとき、端末装置２０の通信の宛先を切り替えることを決定する。通知部１０４は判定部１０３の判定の結果をＭＥＣサーバ３１に通知する（Ｓ３０４）。
【０１０９】
本構成例によれば、基地局１０は端末装置２０が提供を受けるサービス又はアプリケーションの情報に基づいて、端末装置２０の通信の宛先を切り替えることを判定することが可能となる。
【０１１０】
また本発明の第２の実施形態において、第１の実施形態で述べた構成例を採用してもよい。たとえば本発明の一構成例として、基地局１０は、判定の結果を第２のＭＥＣサーバ３１−２に通知するようにしてもよい。
【０１１１】
また本発明の一構成例として、ＭＥＣサーバ３１も、端末装置２０の通信の宛先を切り替えるかを判定する機能を有するようにしてもよい。
【０１１２】
また本発明の一構成例として、ＭＥＣサーバ３１が、基地局１０から判定の結果を受信することを契機として、ＭＥＣサーバ３１の間でサービス又はアプリケーションの状態をリロケートするようにしてもよい。
【符号の説明】
【０１１３】
１、２、３、４、５    通信経路
１０    基地局
１０−１    第１の基地局
１０−２    第２の基地局
２０    端末装置
３０    無線アクセスネットワークノード
３０−１    第１の無線アクセスネットワークノード
３０−２    第２の無線アクセスネットワークノード
３１    ＭＥＣサーバ
３１−１    第１のＭＥＣサーバ
３１−２    第２のＭＥＣサーバ
４０    セントラル・サーバ
１００、３００    メモリ
１１０、３１０    プロセッサ
１２０    ＲＦトランシーバ
１３０    アンテナ
１４０、３２０    ネットワークインターフェース
１０１    宛先取得部
１０２    記憶部
１０３    判定部
１０４    通知部
３０１    端末装置制御部
３０２    通知受信部
３０３    仮想化管理ソフトウェア
３０４    アプリケーション・プラットフォーム・サービス・ソフトウェア
３０５    アプリケーション
１０００    ＲＡＮ
２０００    コアネットワーク
【図１】
2018160813.tif 000003
【図２】
2018160813.tif 000004
【図３】
2018160813.tif 000005
【図４】
2018160813.tif 000006
【図５】
2018160813.tif 000007
【図６】
2018160813.tif 000008
【図７】
2018160813.tif 000009
【図８】
2018160813.tif 000010
【図９】
2018160813.tif 000011
【図１０】
2018160813.tif 000012
【図１１】
2018160813.tif 000013
【図１２】
2018160813.tif 000014
【図１３】
2018160813.tif 000015
【図１４】
2018160813.tif 000016
【図１５】
2018160813.tif 000017
【図１６】
2018160813.tif 000018
【図１７】
2018160813.tif 000019
【図１８】
2018160813.tif 000020
【図１９】
2018160813.tif 000021
【図２０】
2018160813.tif 000022
【図２１】
2018160813.tif 000023
【図２２】
2018160813.tif 000024